(57)【要約】【課題】一般利用者が高価な専用の測定器を所有しなくとも、利用者の身体又は利用者の運動のセンシングデータから適切な結果情報を得られるようにするとともに、個人情報も保護やセンシング対象の個人の同一性の保持を実現する。【解決手段】クライアント側のセンサで得たセンシングデータをサーバ装置に送信する。サーバ装置でセンシングデータを個人評価情報としてのマスデータに変換し、マスデータをクライアント装置側に送信して利用者に対して提示できるようにする。マスデータへの変換をサーバ装置側で行うことでクライアント側の機器負担を解消する。またクライアント端末とサーバ装置の間は、認証処理、チケットデータを伴うセンシングデータ送信を行うことや、利用者情報、センシングデータ、マスデータを別管理することで個人情報を保護する。【選択図】図１
2015141593.tif 000002
【特許請求の範囲】
【請求項１】
登録された利用者の個人情報をユーザＩＤに対応させて保存する利用者データベースを参照してクライアント端末の認証を行う認証処理と、前記認証処理で認証されたクライアント端末からのチケットデータ取得要求に応じてチケットデータを生成し、クライアント端末に送信するチケットデータ処理と、を行う利用者管理部と、
クライアント端末から、利用者の生体情報のセンシングデータがチケットデータとともに送信されてきた際に、チケットデータの確認のうえでユーザＩＤに対応する独自ＩＤを生成する独自ＩＤ生成処理と、前記センシングデータを前記独自ＩＤに対応させて匿名データベースに保存するセンシングデータ保存処理と、前記センシングデータを解析して個人評価情報としてのマスデータを生成する解析処理と、前記マスデータを前記独自ＩＤに対応させて匿名マスデータベースに保存するマスデータ保存処理と、前記マスデータをクライアント端末に送信する送信処理と、を行う解析部とを備えた
サーバ装置。
【請求項２】
前記利用者管理部は、前記チケットデータ処理において、所定処理でユーザＩＤを抽出可能なテンポラリなチケットデータを生成し、
前記解析部は、前記独自ＩＤ生成処理として、受信したチケットデータに対する前記所定処理でユーザＩＤを抽出し、抽出したユーザＩＤに基づいて独自ＩＤを生成する
請求項１に記載のサーバ装置。
【請求項３】
前記解析部は、
受信したセンシングデータについて、同一の独自ＩＤに対応して保存されている過去のセンシングデータとの類似性を判定する類似性認証処理を更に行い、
前記送信処理において前記類似性認証の結果を示す類似性認証結果情報もクライアント端末に送信する
請求項１又は請求項２に記載のサーバ装置。
【請求項４】
前記解析部は、
前記類似性認証結果情報には、過去のセンシングデータに関する質問情報を含むようにするとともに、
前記類似性認証結果情報を送信したクライアント端末からの前記質問情報を用いた認証処理結果を受信することに応じて、前記匿名データベースに保存した、類似性認証対象のセンシングデータについて認証結果に応じた情報を付加する
請求項３に記載のサーバ装置。
【請求項５】
前記解析部は、
前記解析処理において、さらに運動アドバイス情報を生成し、
前記送信処理において前記運動アドバイス情報もクライアント端末に送信する
請求項１乃至請求項４に記載のサーバ装置。
【請求項６】
前記解析部は、
前記解析処理において、さらにインセンティブ情報を生成し、
前記送信処理において前記インセンティブ情報もクライアント端末に送信し、
前記利用者管理部は、利用者毎のインセンティブ情報の管理処理を行う
請求項１乃至請求項５に記載のサーバ装置。
【請求項７】
前記解析部は、各個人ごとの過去のインセンティブ情報とモチベーションの対応データ、もしくは一般的な仮説データを解析して、モチベーション向上につながるインセンティブ情報を生成する
請求項６に記載のサーバ装置。
【請求項８】
前記解析部は、
前記解析処理として、センシングデータとマスデータの相関関係を示す相関関係データを用いて、受信したセンシングデータに対するマスデータを生成する
請求項１乃至請求項７に記載のサーバ装置。
【請求項９】
前記解析部は、
受信したセンシングデータの蓄積に応じて、前記相関関係データの再構築処理を行う
請求項８に記載のサーバ装置。
【請求項１０】
登録された利用者の個人情報をユーザＩＤに対応させて保存する利用者データベースを参照してクライアント端末の認証を行う認証処理と、
前記認証処理で認証されたクライアント端末からのチケットデータ取得要求に応じてチケットデータを生成し、クライアント端末に送信するチケットデータ処理と、
クライアント端末から、利用者の生体情報のセンシングデータがチケットデータとともに送信されてきた際に、チケットデータの確認のうえでユーザＩＤに対応する独自ＩＤを生成する独自ＩＤ生成処理と、
前記センシングデータを前記独自ＩＤに対応させて匿名データベースに保存するセンシングデータ保存処理と、
前記センシングデータを解析して個人評価情報としてのマスデータを生成する解析処理と、
前記マスデータを前記独自ＩＤに対応させて匿名マスデータベースに保存するマスデータ保存処理と、
前記マスデータをクライアント端末に送信する送信処理と、を備えた
サーバ処理方法。
【請求項１１】
登録された利用者の個人情報をユーザＩＤに対応させて保存する利用者データベースを参照しての認証処理により認証されたクライアント端末がチケットデータ取得要求を行って取得されたチケットデータと、利用者の生体情報のセンシングデータとが、クライアント端末から送信されてきた際に、チケットデータの確認のうえでユーザＩＤに対応する独自ＩＤを生成する独自ＩＤ生成処理と、
前記センシングデータを前記独自ＩＤに対応させて匿名データベースに保存するセンシングデータ保存処理と、
前記センシングデータを解析して個人評価情報としてのマスデータを生成する解析処理と、
前記マスデータを前記独自ＩＤに対応させて匿名マスデータベースに保存するマスデータ保存処理と、
前記マスデータをクライアント端末に送信する送信処理と、
を演算処理装置に実行させるプログラム。
【請求項１２】
外部の利用者管理サーバ装置に対してチケットデータ取得要求を行い、認証を条件として前記利用者管理サーバ装置から送信されるチケットデータを取得する処理と、利用者の生体情報のセンシングデータを取得する処理と、前記センシングデータをチケットデータと共に解析サーバ装置に送信する処理と、前記解析サーバ装置がセンシングデータを解析して得た個人評価情報としてのマスデータを受信する処理と、を行う演算制御部を備えたクライアント装置。
【請求項１３】
受信したマスデータを利用者に提示する提示部を更に備えた
請求項１２に記載のクライアント装置。
【請求項１４】
利用者の生体情報をセンシングするセンサ部を更に備えた
請求項１２又は請求項１３に記載のクライアント装置。
【請求項１５】
外部の利用者管理サーバ装置に対してチケットデータ取得要求を行い、認証を条件として前記利用者管理サーバ装置から送信されるチケットデータを取得する処理と、
利用者の生体情報のセンシングデータを取得する処理と、
前記センシングデータをチケットデータと共に解析サーバ装置に送信する処理と、
前記解析サーバ装置がセンシングデータを解析して得た個人評価情報としてのマスデータを受信する処理と、
を行う端末処理方法。
【請求項１６】
外部の利用者管理サーバ装置に対してチケットデータ取得要求を行い、認証を条件として前記利用者管理サーバ装置から送信されるチケットデータを取得する処理と、
利用者の生体情報のセンシングデータを取得する処理と、
前記センシングデータをチケットデータと共に解析サーバ装置に送信する処理と、
前記解析サーバ装置がセンシングデータを解析して得た個人評価情報としてのマスデータを受信する処理と、
を演算処理装置に実行させるプログラム。
【発明の詳細な説明】
【技術分野】
【０００１】
本発明はサーバ装置、サーバ処理方法、プログラム、クライアント装置、端末処理方法に関し、特に身体センシングデータ解析による健康増進活動支援システムを実現する技術分野に関する。
【先行技術文献】
【特許文献】
【０００２】
【特許文献１】特開２０１３−１０２９４７号公報
【特許文献２】特開２０１３−１９６１８５号公報
【背景技術】
【０００３】
適度な運動、塩分の摂取抑制、十分な睡眠などが健康増進に重要なことは種々の研究で実証されており、国民の健康増進の見地から、望ましい生活習慣として勧奨されている。たとえば厚生労働省が推進している１２３４国民運動がある。
また血圧計、体脂肪計等の個々の計測装置が市販されているが、健康増進活動に結び付いている場合は少なく、マニアックな一部の人々に限られており、かつ異なる計測装置のデータを相互に参照して、健康増進のための有用な情報に加工し、配信するまでには至っていないのが実情である。
一方でネットワークが普及し、その端末もスマートフォンやタブレットなど、日常生活の中で身につけ持ち運ぶことが容易になってくるとともに、それらネットワーク端末を通じてデータを吸い上げ、またそれを解析して得られた情報を、ネットワークを通じて配信することは、仮想サーバ技術の発展と共に容易になっている。
【発明の概要】
【発明が解決しようとする課題】
【０００４】
ところで筋肉量や体脂肪率などの生体情報を測るには、実際のそのものを計測することが最も正確に測定できるわけであるが、現実にはそのような計測はできず、精度の低いセンサで他の何らかの生体信号を測定し、信頼性の低いかつ雑音の多いデータから生体情報を推測するということが行われている。その推測方法を作りだす事に対する支援システム、動的に作り出される推定方法を利用して動的に推定を行うシステムの提案はされていない。
またこのようなシステムを構築する場合、利用者の個人情報の保護が重要である。
そこで本発明では、たくさんのデータから推定方法を動的に作り出し、その推定方法を使って推定を行うシステムを実現すること、また、利用者が高価な専用の測定器が必要とせずに簡易なセンサで測定した生体情報に基づいて適切な評価情報（マスデータ）が得られるようにすること、及び個人情報を適切に保護することを目的とする。
【課題を解決するための手段】
【０００５】
第１に、本発明に係るサーバ装置は、登録された利用者の個人情報をユーザＩＤ（identification）に対応させて保存する利用者データベースを参照してクライアント端末の認証を行う認証処理と、前記認証処理で認証されたクライアント端末からのチケットデータ取得要求に応じてチケットデータを生成し、クライアント端末に送信するチケットデータ処理と、を行う利用者管理部と、クライアント端末から、利用者の生体情報のセンシングデータがチケットデータとともに送信されてきた際に、チケットデータの確認のうえでユーザＩＤに対応する独自ＩＤを生成する独自ＩＤ生成処理と、前記センシングデータを前記独自ＩＤに対応させて匿名データベースに保存するセンシングデータ保存処理と、前記センシングデータを解析して個人評価情報としてのマスデータを生成する解析処理と、前記マスデータを前記独自ＩＤに対応させて匿名マスデータベースに保存するマスデータ保存処理と、前記マスデータをクライアント端末に送信する送信処理と、を行う解析部とを備えたものである。
この場合、クライアント側のセンサで得たセンシングデータ（検出された数値自体等の生データ）をサーバ装置側で解析して個人評価情報としてのマスデータに変換する。特に多くの生データから推定方法を動的に作り出し、その推定方法を使って推定を行う処理によりマスデータを生成する。マスデータとは、センシングデータから得られる評価の情報であり、例えば具体的にはセンシングした時に行っていた運動の種類、運動強度や、血管の柔らかさ、体の柔らかさ、肌のはり、肌の保湿具合などがある。
そしてマスデータをクライアント装置側に送信して利用者に対して提示できるようにする。このようにマスデータへの変換をサーバ装置側で行うことでクライアント側の機器負担を解消できる。
またクライアント端末とサーバ装置の間は、認証処理やチケットデータを伴うセンシングデータ送信を行い、チケットデータから得られる非公開の独自ＩＤを用いることで、匿名データベース、匿名マスデータベースでは、利用者を直接特定できない状態で、各利用者のセンシングデータやマスデータを蓄積でき、個人情報を保護できる。
【０００６】
第２に、上記した本発明に係るサーバ装置においては、前記利用者管理部は、前記チケットデータ処理において、所定処理でユーザＩＤを抽出可能なテンポラリなチケットデータを生成し、前記解析部は、前記独自ＩＤ生成処理として、受信したチケットデータに対する前記所定処理でユーザＩＤを抽出し、抽出したユーザＩＤに基づいて独自ＩＤを生成することが望ましい。
これにより独自ＩＤが利用者データベース側のユーザＩＤに対応するものとできる。
【０００７】
第３に、上記した本発明に係るサーバ装置においては、前記解析部は、受信したセンシングデータについて、同一の独自ＩＤに対応して保存されている過去のセンシングデータとの類似性を判定する類似性認証処理を更に行い、前記送信処理において前記類似性認証の結果を示す類似性認証結果情報もクライアント端末に送信することが望ましい。
個人の健康状態を適切に把握するには、逐次センサで測定したデータについての個人毎の同一性（異なる時点で測定された一連の生態情報データが同一人のものであること）が重要である。ところがクライアント端末側から本来の登録ユーザ以外の利用者のセンシングデータが送信されてくる場合も想定される。そこで類似性認証処理により個人毎の同一性がチェックされるようにする。
【０００８】
第４に、上記した本発明に係るサーバ装置においては、前記解析部は、前記類似性認証結果情報には、過去のセンシングデータに関する質問情報を含むようにするとともに、前記類似性認証結果情報を送信したクライアント端末からの前記質問情報を用いた認証処理結果を受信することに応じて、前記匿名データベースに保存した、類似性認証対象のセンシングデータについて認証結果に応じた情報を付加することが望ましい。
これにより、類似性認証結果情報が非類似の場合に本人確認を行う手法が提供される。
【０００９】
第５に、上記した本発明に係るサーバ装置においては、前記解析部は、前記解析処理において、さらに運動アドバイス情報を生成し、前記送信処理において前記運動アドバイス情報もクライアント端末に送信することが望ましい。
運動アドバイス情報をクライアント端末側に提供することで、利用者に健康増進のための有益な情報提供が可能となる。
【００１０】
第６に、上記した本発明に係るサーバ装置においては、前記解析部は、前記解析処理において、さらにインセンティブ情報を生成し、前記送信処理において前記インセンティブ情報もクライアント端末に送信し、前記利用者管理部は、利用者毎のインセンティブ情報の管理処理を行うことが望ましい。
例えばポイント付与（利用者に対する経済的サービスポイント）を行うなどのインセンティブ情報をクライアント端末側に提供し、サーバ装置側でポイント管理することで、ユーザのサーバ装置利用による健康増進意欲を高めることができる。
第７に、上記した本発明に係るサーバ装置においては、前記解析部は、各個人ごとの過去のインセンティブ情報とモチベーションの対応データ、もしくは一般的な仮説データを解析して、モチベーション向上につながるインセンティブ情報を生成することも考えられる。これによりインセンティブ情報を用いたモチベーション向上効果を高める。
【００１１】
第８に、上記した本発明に係るサーバ装置においては、前記解析部は、前記解析処理として、センシングデータとマスデータの相関関係を示す相関関係データを用いて、受信したセンシングデータに対するマスデータを生成することが望ましい。
相関関係データは、センシングデータとマスデータの対応を示す情報である。相関関係データを用いることで例えばセンシングデータの値域に応じてマスデータとしての判定結果を得ることができる。
第９に、上記した本発明に係るサーバ装置においては、前記解析部は、受信したセンシングデータの蓄積に応じて、前記相関関係データの再構築処理を行うことが望ましい。
サーバ装置側で、センシングデータと高精度測定器で測定したデータが溜まるごとに新たな相関関係を求め、過去のセンシングデータに対するマスデータの作り直しを行い、より精度の高いマスデータを作り出すことが好適である。
【００１２】
第１０に、本発明に係るサーバ処理方法は、登録された利用者の個人情報をユーザＩＤに対応させて保存する利用者データベースを参照してクライアント端末の認証を行う認証処理と、前記認証処理で認証されたクライアント端末からのチケットデータ取得要求に応じてチケットデータを生成し、クライアント端末に送信するチケットデータ処理と、クライアント端末から、利用者の生体情報のセンシングデータがチケットデータとともに送信されてきた際に、チケットデータの確認のうえでユーザＩＤに対応する独自ＩＤを生成する独自ＩＤ生成処理と、前記センシングデータを前記独自ＩＤに対応させて匿名データベースに保存するセンシングデータ保存処理と、前記センシングデータを解析して個人評価情報としてのマスデータを生成する解析処理と、前記マスデータを前記独自ＩＤに対応させて匿名マスデータベースに保存するマスデータ保存処理と、前記マスデータをクライアント端末に送信する送信処理と、を備えたのである。
【００１３】
第１１に、本発明に係るプログラムは登録された利用者の個人情報をユーザＩＤに対応させて保存する利用者データベースを参照しての認証処理により認証されたクライアント端末がチケットデータ取得要求を行って取得されたチケットデータと利用者の生体情報のセンシングデータとが、クライアント端末から送信されてきた際に、チケットデータの確認のうえでユーザＩＤに対応する独自ＩＤを生成する独自ＩＤ生成処理と、前記センシングデータを前記独自ＩＤに対応させて匿名データベースに保存するセンシングデータ保存処理と、前記センシングデータを解析して個人評価情報としてのマスデータを生成する解析処理と、前記マスデータを前記独自ＩＤに対応させて匿名マスデータベースに保存するマスデータ保存処理と、前記マスデータをクライアント端末に送信する送信処理と、を演算処理装置に実行させるプログラムである。
【００１４】
第１２に、本発明に係るクライアント装置は、外部の利用者管理サーバ装置に対してチケットデータ取得要求を行い、認証を条件として前記利用者管理サーバ装置から送信されるチケットデータを取得する処理と、利用者の生体情報のセンシングデータを取得する処理と、前記センシングデータをチケットデータと共に解析サーバ装置に送信する処理と、前記解析サーバ装置がセンシングデータを解析して得た個人評価情報としてのマスデータを受信する処理と、を行う演算制御部を備える。
第１３に、上記した本発明に係るクライアント装置においては、受信したマスデータを利用者に提示する提示部を更に備える。例えばマスデータを表示する表示デバイスなどである。マスデータの表示態様は各種考えられるが、マスデータそのものを表示したり、年齢毎のマスデータ分布に対する自分の位置を示すような表示が想定される。
第１４に、上記した本発明に係るクライアント装置においては、利用者の生体情報をセンシングするセンサ部を更に備える。
このようなクライアント装置により、利用者は上述のサーバ装置によるサービスを享受できる。
【００１５】
第１５に、本発明に係る端末処理方法は、外部の利用者管理サーバ装置に対してチケットデータ取得要求を行い、認証を条件として前記利用者管理サーバ装置から送信されるチケットデータを取得する処理と、利用者の生体情報のセンシングデータを取得する処理と、前記センシングデータをチケットデータと共に解析サーバ装置に送信する処理と、前記解析サーバ装置がセンシングデータを解析して得た個人評価情報としてのマスデータを受信する処理と、を行う。
第１６に、本発明に係るプログラムは、外部の利用者管理サーバ装置に対してチケットデータ取得要求を行い、認証を条件として前記利用者管理サーバ装置から送信されるチケットデータを取得する処理と、利用者の生体情報のセンシングデータを取得する処理と、前記センシングデータをチケットデータと共に解析サーバ装置に送信する処理と、前記解析サーバ装置がセンシングデータを解析して得た個人評価情報としてのマスデータを受信する処理とを演算処理装置に実行させるプログラムである。
これらの端末処理方法、プログラムにより上述のサーバ装置によるサービスを享受できるクライアント装置を実現できる。
【発明の効果】
【００１６】
本発明によれば、多くのデータから推定方法を動的に作り出し、その推定方法を使って推定を行うシステムが実現できる。また利用者が高価な専用の測定器が必要とせずに、簡易なセンサで測定した生体情報に基づいて、適切な評価情報（マスデータ）が得られる。また個人情報も保護されうる。このように利用者が安心してサーバ装置から的確な情報提供をうけることで、利用者の永続性ある健康増進活動を支援できる。
【図面の簡単な説明】
【００１７】
【図１】本発明の実施の形態のシステム構成の説明図である。
【図２】実施の形態の利用者データベースのスキーマの説明図である。
【図３】実施の形態の匿名データベースと匿名マスデータベースの説明図である。
【図４】実施の形態の情報処理装置のブロック図である。
【図５】実施の形態のシステム全体の処理のフローチャートである。
【図６】実施の形態のクライアント端末の処理のフローチャートである。
【図７】実施の形態のサーバ装置の処理のフローチャートである。
【図８】実施の形態の相関関係再構築処理のフローチャートである。
【発明を実施するための形態】
【００１８】
以下、本発明の実施の形態を次の順序で説明する。
＜１．システム構成＞
＜２．システム全体処理＞
＜３．クライアント端末の処理＞
＜４．サーバ装置の処理＞
＜５．実施の形態の効果＞
＜６．プログラム＞
【００１９】
＜１．システム構成＞
本実施の形態は、主に情報センタ側のサーバ装置と、一般利用者が用いるクライアント端末の間でネットワーク通信が行われる情報配信システムである。
特に、利用者の身体センシングした生体情報についてサーバ装置側で統計学の手法で相関関係等を解析して健康増進に有効な情報を得、これを利用者に提示することで、合理的な健康増進活動を実行することを支援し、また健康増進活動のモチベーションを向上させる情報配信システムである。
【００２０】
実施の形態の情報配信システムの構成を図１に示す。情報センタ側のサーバ装置１０とクライアント端末６がネットワーク１１を介して情報通信が可能とされている。また端末８その他ネットワーク１１に接続された他の情報処理装置も相互に通信可能とされている。なお、サーバ装置１０が本発明請求項でいうサーバ装置の実施の形態で、クライアント端末６が本発明請求項でいうクライアント装置の実施の形態となる。
【００２１】
ネットワーク１１の構成は多様な例が想定される。例えば、インターネット、イントラネット、エキストラネット、ＬＡＮ（Local Area Network）、ＣＡＴＶ（Community Antenna TeleVision）通信網、仮想専用網（Virtual Private Network）、電話回線網、移動体通信網、衛星通信網等が想定される。
またネットワーク１１の全部又は一部を構成する伝送媒体についても多様な例が想定される。例えばＩＥＥＥ（Institute of Electrical and Electronics Engineers）１３９４、ＵＳＢ（Universal Serial Bus）、電力線搬送、電話線等の有線でも、ＩｒＤＡ（Infrared Data Association）のような赤外線、ブルートゥース（登録商標）、８０２．１１無線、携帯電話網、衛星回線、地上波デジタル網等の無線でも利用可能である。
【００２２】
クライアント端末６（６Ｘ、６Ｙ）は、本システムの利用に関して利用者側のゲートウエイとして機能する装置の総称としている。具体的にクライアント端末６としては、パーソナルコンピュータ、スマートフォンないしタブレット端末等の携帯型情報処理装置、身体装着型の情報処理装置、ネットワーク対応型フォトフレーム、ネットワーク対応ゲーム機器、ネットワーク対応ビデオ機器、ネットワーク対応テレビジョンモニタ機器等が考えられる。
このクライアント端末６は、主に利用者の生体情報（例えば身体や運動に関する情報）を収集し、サーバ装置１に送信する機能を有する。
生体情報としては、例えば心拍、血圧、体脂肪率、体重、身長、発汗量、移動量、加速度、速度、角加速度、位置、塩分量等のセンシングデータである。
【００２３】
クライアント端末６（例えばクライアント端末６Ｘ）には、例えばセンサ部６ａ、通信部６ｂ、制御演算部６ｃ、表示部６ｄ、記憶部６ｅが設けられる。
或いはクライアント端末６Ｙとして示すように、センサ部６ａが設けられず通信部６ｂ、制御演算部６ｃ、表示部６ｄ、記憶部６ｅが設けられる場合もある。
【００２４】
クライアント端末６Ｘにおいて、センサ部６ａは上述の生体情報をセンシングするデバイスである。例えば携帯型や身体装着型のクライアント端末６Ｘの場合、センサ部６ａを内蔵することで、そのクライアント端末６Ｘ自体で利用者の生体情報のセンシングが可能となる。
通信部６ｂはネットワーク１１を介したデータ通信を行う。
制御演算部６ｃは、後述するクライアント端末の処理のための制御処理や演算処理を行う。具体的にはサーバ装置１０との間の認証処理、センシングデータの送信処理、サーバ装置１０からの情報の受信処理、表示制御処理、記憶制御処理などを行う。
表示部６ｄは、利用者に対して各種の情報を表示する。本例の場合、少なくともサーバ装置１０から送信されてきた情報（後述のマスデータ、運動アドバイス情報、ポイント等）の表示を行う。
記憶部６ｅは制御演算部６ｃの制御に基づいて各種情報の記憶を行う。
なお、表示部６ｄや記憶部６ｅはクライアント端末６Ｘと別体構成でもよい。
【００２５】
センサ部６ａを備えていないクライアント端末６Ｙの場合、利用者は別体のセンサ装置７を用いることで生体情報をセンシングさせることもできる。
クライアント端末６Ｙは、クライアント端末６Ｘと同様に通信部６ｂ、制御演算部６ｃ、表示部６ｄ、記憶部６ｅを備えるが、通信部６ｂとしては、ネットワーク１１を介した通信装置部だけでなく、センサ装置７との間の通信装置部も備える。センサ装置７との間の通信装置部は、例えば赤外線通信やブルートゥース（登録商標）等の近距離無線通信でもよいし、有線通信の場合もある。もちろんセンサ装置７との間でネットワーク１１を介して通信するものでもよい。
【００２６】
センサ装置７（７Ｘ、７Ｙ）は通信部７ａ、制御部７ｂ、センサ部７ｃを備える。ここではセンサ装置７Ｙは更に表示部７ｄを備える例を示している。
センサ部７ｃは上述の生体情報をセンシングするデバイスである。利用者がセンサ装置７を携帯、装着、又は使用することで、センサ部７Ｃにより利用者の生体情報がセンシングされる。通信部７ａは、少なくともクライアント端末６との通信が可能な通信部である。制御部７ｂはセンサ部７ｃでセンシングデータ（解析等を行う前の生データ）を通信部７ａによりクライアント端末６に送信する処理を行う。
またセンサ装置７Ｙの場合、制御部７ｂはクライアント端末６から、サーバ装置１０からのマスデータ等の情報を受け取ることで、それらの情報を表示部７ｄで表示させることもできる。
【００２７】
端末８は、高精度測定器９によるセンシングデータをサーバ装置１０に送信できる情報処理装置である。クライアント端末６Ｘのセンサ部６ａや、センサ装置７は比較的簡易なセンサデバイスを想定しているが、高精度測定器９は例えば医療機関、健康サービス施設、スポーツジム等に備えられた高精度の生体情報測定装置を想定している。本例のシステムでは、利用者は高精度測定器９でセンシングを行った生体情報を端末８からサーバ装置１０に送信することもできる。
【００２８】
情報センタ側のサーバ装置１０としては、主にログイン認証サーバとして機能する利用者管理部１と、主に送られてきたセンシングデータを保存し解析する解析サーバとして機能する解析部２を備える。
また利用者データベース３、匿名データベース４、匿名マスデータベース５を備える。
利用者データベース３は利用者管理部１によってアクセス可能なデータベースで、登録された利用者の個人情報をユーザＩＤに対応させて保存する。匿名データベース４は解析部２によってアクセス可能なデータベースで、主にクライアント端末６から送信されてくるセンシングデータを独自ＩＤで管理した状態で格納する。匿名マスデータベース５も解析部２によってアクセス可能なデータベースで、主にクライアント端末６からのセンシングデータ（生データ）を解析して生成した情報（マスデータ等）を独自ＩＤで管理した状態で格納する。
利用者管理部１と解析部２は、一体のコンピュータ装置で形成することもできるが、情報センタ内或いは遠隔地の別体のコンピュータ装置で形成してもよい。
利用者データベース３、匿名データベース４、匿名マスデータベース５を構築する記憶媒体は、情報センタ内に配置されるものでも遠隔地に配置されるものでもよい。
【００２９】
利用者管理部１は、通信部１ａ、制御演算部１ｂ、記憶部１ｃを備える。
通信部１ａはネットワーク１１を介したデータ通信を行う。またネットワーク１１を介して、もしくは直接、解析部２との間のデータのやりとりを行うデバイスを備える場合もある。
制御演算部１ｂは、クライアント端末６からのログイン認証に関する演算処理、制御処理を行う。例えば利用者データベース３を参照してクライアント端末６の認証を行う認証処理と、その認証処理で認証されたクライアント端末６からのチケットデータ取得要求に応じてチケットデータを生成し、クライアント端末６に送信するチケットデータ処理を行う。また利用者毎のインセンティブ情報の管理処理も行う。
記憶部１ｃは、制御演算部１ｂの処理に必要な情報記憶を行う。
【００３０】
解析部２は、通信部２ａ、制御演算部２ｂ、記憶部２ｃを備える。
通信部２ａはネットワーク１１を介したデータ通信を行う。またネットワーク１１を介して、もしくは直接、利用者管理部１との間のデータのやりとりを行うデバイスを備える場合もある。
制御演算部２ｂは、クライアント端末６からのセンシングデータに対する解析や保存に関する演算処理、制御処理を行う。例えば解析部２は、クライアント端末６から、利用者の生体情報のセンシングで得られたセンシングデータがチケットデータとともに送信されてきた際に、チケットデータの確認のうえでユーザＩＤに対応する独自ＩＤを生成する独自ＩＤ生成処理を行う。またセンシングデータを独自ＩＤに対応させて匿名データベースに保存するセンシングデータ保存処理を行う。またセンシングデータを解析して個人評価情報としてのマスデータや、運動アドバイス情報、インセンティブとしてのポイント情報等を生成する解析処理を行う。またマスデータ等を独自ＩＤに対応させて匿名マスデータベースに保存するマスデータ保存処理を行う。またマスデータ等をクライアント端末６に送信する送信処理を行う。また受信したセンシングデータについて、同一の独自ＩＤに対応して保存されている過去のセンシングデータとの類似性を判定する類似性認証処理も行う。またマスデータの解析に必要な相関関係データの再構築処理も逐次行う。
記憶部２ｃは、制御演算部２ｂの処理に必要な情報記憶を行う。
【００３１】
利用者データベース３のスキーマ定義を図２に示す。なお以下「データベース」を「ＤＢ」と表記する。
利用者ＤＢ３では、ユーザＩＤをキーとして各利用者のグループＩＤ、基本属性（年齢、性別、身長など）、ポイント情報を管理する。ユーザＩＤ、グループＩＤ、基本属性は、利用者が本システムを利用する準備段階で利用者データベース３に登録されるものとする。
匿名ＤＢ４、匿名マスＤＢ５のスキーマ定義を図３に示す。
匿名ＤＢ４は独自ＩＤをキーとして、クライアント端末６側で測定し、送信されてきたセンシングデータ（圧力値、抵抗値、加速度値などのセンサが返す値そのものとしての生データ）をタイムスタンプと共に管理する。
また匿名マスＤＢ５では、解析部２によって生成されるマスデータとポイントを、独自ＩＤをキーとしてタイムスタンプと共に管理する。マスデータには運動の種類、運動強度、血管の柔らかさ、肌の弾力などの項目がある。
なお利用者は、解析方法及びマスデータの正当性をチェックするために、定期的に高精度測定器９と端末８を使い高精度測定を行い、高精度で測定した情報を匿名ＤＢ４に登録することもできる。
【００３２】
サーバ装置１０として利用者管理部１及び解析部２を一体で構成する情報処置装置、或いは利用者管理部１を構成する情報処置装置や、解析部２を構成する情報処置装置としての具体的構成例を図４に示す。
当該情報処理装置には、主たる演算制御を行うためのデータ処理装置部２０５を有する。
データ処理装置部２０５は、バス２２０を介して、入力装置２１０、表示装置２１５、入出力インタフェース２４５、ＲＡＭ２２５、ＲＯＭ２３０、ハードディスクドライブ（ＨＤＤ）２３５、リムーバブルディスクドライブ２４０、及び通信部２５０に接続されている。
【００３３】
入出力インタフェース２４５は、キーボード、ポインティングデバイス、タッチパネルなどに接続されており、ユーザからの命令を受信する。
ＲＯＭ２３０には、データ処理装置部２０５によって実行されるコンピュータプログラムが保存されている。
データ処理装置部２０５は、例えばＣＰＵによる演算制御部として構成され、ＲＯＭ２３０から実行すべきコンピュータプログラムを読み出し、ＲＡＭ２２５にそのコンピュータプログラムをロードし、実行する。具体的には上述の制御演算部１ｂ、２ｂとして実行する処理を行う。
データ処理装置部２０５は、コンピュータプログラムの実行によって得られた結果を表示装置２１５に送信する。表示装置２１５は、その結果を提示する。
【００３４】
ＨＤＤ２３５、リムーバブルディスクドライブ２４０は記録デバイスとして用いられる。例えばＨＤＤ２３５を利用者ＤＢ３、匿名ＤＢ４、匿名マスＤＢ５等を構築するための大容量のハードディスクとすることができる。もちろん大容量のＨＤＤを外部に備えてもよい。通信部２５０は、ネットワーク１１等を介した通信を行う。
【００３５】
なお、以上はサーバ装置１０側の情報処置装置としての構成としたが、クライアント端末６、端末８を構成する情報処理装置の構成例も同様となる。
【００３６】
＜２．システム全体処理＞
図５でシステム全体処理としてクライアント端末６とサーバ装置１０のやりとりを説明する。なお以下で説明するサーバ装置１０の処理とは、利用者管理部１の制御演算部１ｂや解析部２の制御演算部２ｂが実行する処理となる。クライアント端末６の処理とは制御演算部６ｃが実行する処理である。
【００３７】
まずクライアント端末６はステップＳ１としてサーバ装置１０に対して認証を求める第１認証処理を行う。これは利用者の生体が登録した正しい利用者であることを確認する認証となり、ここでは既存の技術であるパスワード認証と顔認証を利用する。クライアント端末６からの認証要求に応じて、サーバ装置１０では利用者管理部１が認証処理Ｓ１０を行う。なお、クライアント端末６Ｙのようにセンサ装置７がクライアント端末６（ゲートウエイ機器）と分離している場合には、近接無線によって１対１にペアリングされた状態が作られてから第１利用者認証を行うものとする。
【００３８】
ステップＳ１の第１利用者認証が終了すると、利用者はセンサ部６ａ又はセンサ装置７を使ってセンシングを行い、クライアント端末６はステップＳ２で、生体情報のセンシングデータを取得する。
続いてステップＳ３でクライアント端末６はチケット取得依頼として、チケットデータ（以下「チケットＴＫ」と表記する）を要求するチケット要求を、ユーザＩＤ、パスワードとともにサーバ装置１０（利用者管理部１）に送信する。チケットＴＫとはテンポラリに作られる通信証明書である。
サーバ装置１０の利用者管理部１は、ステップＳ１１でユーザＩＤ、パスワードによるログイン認証や、要求に応じたテンポラリなチケットＴＫを生成するチケットデータ処理を行う。そして生成したチケットＴＫをクライアント端末６に送信する。チケットＴＫは要求に応じて逐次発行されるもので、有効期限が設定されていてもよい。
【００３９】
なお、クライアント端末６のログイン状態は、ステップＳ１，Ｓ１０の第１利用者認証の段階で確立させ、それを維持させておいてもよいし、ステップＳ３，Ｓ１１の時点で再度ログインを行うようにしてもよい。
【００４０】
クライアント端末６は、チケットＴＫを取得したら、ステップＳ４で得たセンシングデータＳＤを、チケットＴＫとともにサーバ装置１０（解析部２）に送信する処理を行う。
これに応じてサーバ装置１０では、解析部２がステップＳ２０以降の処理を行う。
即ちまずサーバ装置１０はステップＳ２０で、チケットＴＫの確認のうえでユーザＩＤに対応する独自ＩＤを生成する独自ＩＤ生成処理を行う。
【００４１】
ここで独自ＩＤはユーザＩＤと１：１に対応するＩＤであるとする。即ち独自ＩＤは、直接的には利用者ＤＢ３のキーとなるものではないが、匿名ＤＢ４及び匿名マスＤＢ５については、個々の利用者を識別して情報を記憶できるものである。独自ＩＤによって利用者ＤＢ３をアクセスできないことで、利用者ＤＢ３の個人情報（基本属性等）と匿名ＤＢ４及び匿名マスＤＢ５の情報が、直接結びつけられることはないようにしている。
独自ＩＤとユーザＩＤを１：１に対応させるためには、一例として利用者管理部１と解析部２がチケットＴＫについて次のように処理すればよい。
利用者管理部１は、ステップＳ１１において、所定処理、例えば特定の非公開アルゴリズム、秘密鍵による暗号化、又は非公開エンコード手法で変形したユーザＩＤを埋め込んだテンポラリなチケットＴＫを生成し、それをクライアント端末６に送信する。チケットＴＫをクライアント端末６から受け取った解析部２は、そのチケットＴＫからユーザＩＤを所定処理で抽出する。即ち利用者管理部１で用いた処理に対応した非公開アルゴリズム、復号鍵、非公開デコード手法等を用いてユーザＩＤを抽出する。そしてユーザＩＤをさらに非公開のアルゴリズム等で変形して独自ＩＤを生成する。
このようにすれば、独自ＩＤはユーザＩＤと１：１に対応され、匿名ＤＢ４、匿名マスＤＢ５では、ユーザＩＤを用いずに、個々の利用者の測定データやマスデータを保存できる。また利用者管理部１では、解析部１が提供した独自ＩＤからユーザＩＤを判別することもできる。一方、サーバ装置１０の外部からは、利用者ＤＢ３の各利用者の登録情報と、匿名ＤＢ４及び匿名マスＤＢ５の内容を結びつけることはできない。
【００４２】
独自ＩＤを生成したら、ステップＳ２１でサーバ装置１０は、受信したセンシングデータＳＤを独自ＩＤに対応させて匿名データベースに保存するセンシングデータ保存処理を行う。
またステップＳ２２でサーバ装置１０は、受信したセンシングデータＳＤについて、ステップＳ２１で用いた独自ＩＤと同一の独自ＩＤに対応して保存されている過去のセンシングデータとの類似性を判定する類似性認証処理を行う。これは、今回受信したセンシングデータＳＤが、過去の同一の利用者について保存していたセンシングデータと同一人のデータであるか否かを推定するための処理である。同一人であれば、センシングデータは類似している可能性が高いため、今回のセンシングデータと、過去に送信されて記憶されていたセンシングデータの類似性を判断することになる。そして類似／非類似の類似性認証結果の情報を生成する。
【００４３】
ステップＳ２３でサーバ装置１０は、今回受信及び記憶したセンシングデータの解析処理を行い、人評価情報としてのマスデータを生成する。
例えば解析部１０での解析処理として、センシングデータとマスデータの相関関係を示す相関関係データを用いて、受信したセンシングデータに対するマスデータを生成する。相関関係データとは、センシングデータとマスデータの対応を示す情報である。相関関係データを用いることで例えばセンシングデータの値域に応じてマスデータとしての判定結果を得ることができる。例えばセンシングされた脈拍、血圧、発汗量、体重、身長、発汗量、移動量、加速度、速度、角加速度、位置、塩分量等のセンシングデータ値を、相関関係データに照らし合わせて、運動種類、運動強度、血管の柔らかさ、体の柔らかさ、肌のはり、肌の保湿具合などのマスデータを生成する。
さらに解析処理では、センシングデータやマスデータから、当該利用者に対する運動アドバイス情報や、利用者に与えるインセンティブとしてのポイント情報を生成する。運動アドバイス情報とは、運動が激しすぎると判定される場合に、より緩やかな運動を勧める情報であるとか、身体の特定箇所の柔軟性を高める運動を進める勧める情報など、解析された情報に基づいて利用者個人にとってのアドバイスとなる情報である。
そして解析部２は生成したマスデータを独自ＩＤに対応させて匿名マスＤＢ５に保存する。なお、匿名マスＤＢ５に運動アドバイス情報を保存してもよいし、またポイント情報を匿名マスＤＢ５に保存してもよい。また解析部２から利用者管理部１にポイント情報を通知し、利用者データベース３にポイント情報を登録（ポイント加算更新）する。
【００４４】
ステップＳ２４でサーバ装置は、クライアント端末６に対する送信処理を行う。この場合、ステップＳ２２で得た類似性認証結果の情報と、ステップＳ２３で生成したマスデータ、運動アドバイス情報、ポイント情報を送信する。
クライアント端末６では、この送信されてきた類似性認証結果、マスデータ、運動アドバイス情報、ポイント情報をステップＳ５で受信する。
そしてクライアント端末６ではステップＳ６で第２利用者認証を行う。後述するが、この第２利用者認証は、類似性認証結果が非類似の場合に行われる。
ステップＳ７でクライアント端末６では、サーバ装置１０から受信したマスデータ、運動アドバイス情報、ポイント情報を表示する処理を行う。これにより利用者が、サーバ装置１０から提供された情報を確認できることになる。なおポイント情報は、今回のポイントだけでなく、これまで蓄積されたポイントが表示されるようにしてもよい。
マスデータ等の表示態様は各種考えられるが、例えば年齢毎のマスデータ分布に対する自分の位置を示すような表示態様も適切である。このためステップＳ２４においてサーバ装置１０は、利用者個人のマスデータだけではなく、マスデータの提示態様に応じた周辺情報（マスデータの平均値、年代別平均値、目標値、評価情報など）も送信するようにすることが望ましい。
【００４５】
サーバ装置１０では、解析部２はステップＳ２５で相関関係再構築処理を行う。これについては後述する。
なおステップＳ６での第２利用者認証の結果として、クライアント端末６から認証結果が送信されてくる。この場合、サーバ装置１０の解析部２はステップＳ２６の認証対応処理として必要な処理を行う。例えば同一利用者のセンシングデータとして疑いがあるという認証結果となった場合、先に送られてきたセンシングデータＳＤは登録された利用者本人のデータとしては疑わしいとする情報を匿名ＤＢ４に付加したり、ポイント付与をキャンセルするなどを行う。
ステップＳ２２で類似性認証結果が類似（ＯＫ）であった場合や、クライアント端末６のステップＳ６の認証結果がＯＫであった場合は、先に送られてきたセンシングデータＳＤは本人のデータであるとする情報を匿名ＤＢ４に付加したり、ポイントを有効化する処理を行う。
【００４６】
またサーバ装置１０では、利用者管理部１は、以上の一連のトランザクション終了後にステップＳ１２で課金処理を行うことができる。即ち利用者に対する課金を当該図５の一連のトランザクション単位で行うものとし、課金情報を利用者ＤＢ３に記憶／更新したり、課金機関への通知を行うことができる。
【００４７】
＜３．クライアント端末の処理＞
以上の図５のシステム動作を実現するためのクライアント端末６（制御演算部６ｃ）の処理例を図６で説明する。なお図６のステップＳ１０１〜Ｓ１１７の処理について、図５の処理に対応する部分に図５のステップ番号（Ｓ１）〜（Ｓ７）を付している。
【００４８】
ステップＳ１０１，Ｓ１０２は図５の第１利用者認証（Ｓ１）である。クライアント端末６はステップＳ１０１で第１利用者認証として、利用者の顔認識、パスワード認証等の処理や、認証のためのサーバ装置１０（利用者管理部１）とのやりとりを行う。認証ＯＫとなったらステップＳ１０２からＳ１０３に進む。
ステップＳ１０３、Ｓ１０４はセンシング処理（Ｓ２）である。クライアント端末６はステップＳ１０３でセンサ部６ａ又はセンサ装置７によって得られるセンシングデータを取得する。取得に応じてステップＳ１０４からＳ１０５に進む。
ステップＳ１０５，Ｓ１０６はチケット取得依頼（Ｓ３）である。クライアント端末６は第１認証がＯＫとなり、センサデータが取得されたことに応じてステップＳ１０５でチケット取得処理を行う。即ちユーザＩＤ、パスワード、チケット要求をサーバ装置１０に送信する。そしてチケットＴＫが取得されたら、ステップＳ１０６からＳ１０７に進む。
以上のステップＳ１０１〜Ｓ１０６では、第１利用者認証がＯＫで、かつセンシングが行われたことに応じて、チケットＴＫを取得するという処理となる。第１利用者認証がＯＫとならない場合、センシングが行われない場合、或いはチケットＴＫが取得できない場合は、以上のステップＳ１０１〜Ｓ１０６の処理をループする。
【００４９】
チケットＴＫが取得できた場合、クライアント端末６はステップＳ１０７として送信処理（センシングデータ送信Ｓ４）を行う。クライアント端末６はサーバ装置１０（解析部２）に対して、センシングデータＳＤ、チケットＴＫを送信する。
ステップＳ１０８〜Ｓ１１１は、サーバ装置１０からの分析結果受信処理（Ｓ５）である。クライアント端末６はステップＳ１０８で分析結果としてのマスデータ等の受信を確認する。受信が確認されたらステップＳ１１２に進む。
受信が確認できない場合は、ステップＳ１１０で一定時間待機しながら受信確認を行う。規定回数待機しても受信が確認できなければ、ステップＳ１０９からＳ１１１に進み、今回ステップＳ１０７で送信したセンシングデータＳＤは、適切にサーバ装置１０に受け付けられなかったとして、キューに保存する。そしてステップＳ１０１〜Ｓ１０６のループに戻る。キューに保存されたセンシングデータＳＤは、その後のステップＳ１０７での送信機会において合わせて送信される。
【００５０】
ステップＳ１０８で受信確認ができた場合、ステップＳ１１２〜Ｓ１１６で第２利用者認証（Ｓ６）を行う。
クライアント端末６はステップＳ１１２では、サーバ装置１０から送信されてくる類似性認証結果を確認する。もし「類似」との判定結果であれば、そのままステップＳ１１７に進む。「非類似」との判定結果であればステップＳ１１３に進み、利用者に対する質問処理を行う。例えばサーバ装置１０は類似性認証結果とともに、３つの質問を設定し、クライアント端末６に送信する。３つの質問とは、当該利用者個人の過去のセンシングデータやマスデータ等の実績に基づく質問などとする。即ち、今回の利用者が登録された正規の利用者本人であれば正答できるような質問であればよい。もちろん３つでなくてもよい。
クライアント端末６では、ステップＳ１１３で、この質問の情報を取り出し、表示部６ｄにより質問内容を表示させ、利用者に回答入力を求める。そしてステップＳ１１４で回答を検討し、全て正解であれば認証ＯＫとするが、不正解があればステップＳ１１５で認証ＮＧを示す不正解フラグをオンとする。そしてステップＳ１１６でサーバ装置１０に対して認証結果として不正解フラグ＝オンを送信する。全て正解の場合は不正解フラグ＝オフを送信する。
【００５１】
ステップＳ１１７として表示処理（Ｓ７）を行う。ステップＳ１１７でクライアント端末６は、第２利用者認証の結果関わらず、サーバ装置１０からの分析結果情報としてのマスデータ、運動アドバイス情報、及びポイント情報を、表示部６ｄで表示させることで利用者に提示する。そしてステップＳ１０１に戻る。
【００５２】
＜４．サーバ装置の処理＞
図５のシステム動作を実現するためのサーバ装置１０（利用者管理部１の制御演算部１ｂ、解析部２の制御演算部２ｂ）の処理例を図７で説明する。
なお図７のステップＳ２０１、Ｓ２１０〜Ｓ２１４、Ｓ２３０が、図５のステップＳ１０，Ｓ１１，Ｓ１２、つまり利用者管理部１の制御演算部１ｂによる処理となる。またステップＳ２０２、Ｓ２２０〜Ｓ２２９は図５のステップＳ２０〜Ｓ２６、つまり解析部２の制御演算部２ｂによる処理となる。
【００５３】
サーバ装置１０では、ステップＳ２０１〜Ｓ２０５でクライアント端末６等からの各種依頼を監視し、依頼に応じて必要な処理を行う。
ステップＳ２０１では利用者認証依頼として、クライアント端末６からの第１利用者認証やチケット取得依頼をチェックしている。これらの依頼があった場合、サーバ装置１０は利用者管理部１の処理としてステップＳ２１０〜Ｓ２１４の処理を行う。
ステップＳ２１０でサーバ装置（利用者管理部１）は認証処理を行う。これはクライアント端末６からの第１利用者認証に対応する処理である。或いはユーザＩＤやパスワードによるログイン認証の処理となる。このステップＳ２１０の処理の結果、即ち認証ＯＫ／ＮＧの情報をステップＳ２１１でクライアント端末６に通知する。
この第１利用者認証に対応する処理を終えたらサーバ装置１０はステップＳ２１２から認証処理を終える。また当該認証が、クライアント端末６からのチケット要求を伴うものであった場合は、サーバ装置１０は認証ＯＫの場合のみ、ステップＳ２１２からＳ２１３に進み、チケットＴＫの生成を行う。そしてステップＳ２１４でクライアント端末６に対してチケットＴＫを送信する。
【００５４】
ステップＳ２０２では保存依頼として、クライアント端末６からのセンシングデータＳＤの送信をチェックしている。この保存依頼があった場合、サーバ装置１０は解析部２の処理としてステップＳ２２０〜Ｓ２２９の処理を行う。
ステップＳ２２０ではサーバ装置１０（解析部２）は、まずセンシングデータＳＤと共に送信されてくるチケットＴＫを確認する。もしチケットＴＫが正規のデータではない場合、或いは期限切れなどの場合、チケットＮＧとしてステップＳ２２２でクライアント端末６に対してエラー通知を行う。
チケットＯＫであればサーバ装置１０はステップＳ２２１でセンシングデータＳＤを確認する。センシングデータＳＤが適切に受信できなければ不明データ又は通信エラーとしてステップＳ２２２でクライアント端末６に対してエラー通知を行う。
クライアント端末６では、ステップＳ２２２のエラー通知を受けた場合は図６のステップＳ１０８の受信確認ができていないという状態となる。
【００５５】
チケットＴＫ及びセンシングデータＳＤが適正なものと確認できたらサーバ装置１０（解析部２）はステップＳ２２３で独自ＩＤ生成を行う。そしてステップＳ２２４で独自ＩＤを用いて匿名ＤＢ４にセンシングデータＳＤの保存処理を行う。
ステップＳ２２５でサーバ装置１０は、今回のセンシングデータＳＤを、同一の独自ＩＤで匿名ＤＢ４に記憶されているセンシングデータとの類似性認証処理を行う。そして類似／非類似の結果を得る。
ステップＳ２２６でサーバ装置１０は、今回のセンシングデータについてマスデータの生成、運動アドバイス情報の生成し、匿名マスＤＢ５に保存する。またポイント情報の生成も行う。
ステップＳ２２７で、類似性認証結果、マスデータ、運動アドバイス情報、ポイント情報をクライアント端末６に送信する。
【００５６】
その後、ステップＳ２２８で相関関係再構築処理を行う。なお、相関関係再構築処理は必ずしもこのタイミングでなくもよく、例えば定期的に行うようにしてもよい。
相関関係再構築処理の例を図８に示す。相関関係再構築処理では、ステップＳ３０１として、送信されてきたセンシングデータＳＤや、任意のタイミングで利用者が高精度測定器９を使って測定したセンシングデータを、端末８から取得する。そしてそれら入力されたセンシングデータを匿名マスＤＢ５に保存する。
前回の再構築以降で相関関係データに反映していないセンシングデータの蓄積量が所定以上となったか否かをステップＳ３０３で確認し、所定個以上となった場合に相関関係再構築を行う。そのデータ蓄積量が所定個数以上溜まった場合、ステップＳ３０４で相関の再計算を実行する。ステップＳ３０５では過去の相関からの相関の変化量が閾値以上であるか否かを判断し、閾値以上であれば、ステップＳ３０６で全てのセンシングデータに対し、マスデータ・運動アドバイス・ポイント再構築を実施する。その再構築が終わったら、ステップＳ３０７でデータ蓄積量をゼロにし、再度所定個の測定データが集まるまで待機する。
【００５７】
図７に戻って、ステップＳ２２９ではサーバ装置１０は、認証結果対応処理を行う。これは図５で説明したクライアント端末６の第２利用者認証の結果に対応した処理である。
ここまでで図５で説明した一連のトランザクションが終了するため、それに応じてサーバ装置１０はステップＳ２３０で利用者に対する課金処理を行うこととなる。
【００５８】
ところでサーバ装置１０は、利用者もしくは本システム外のシステムに対し、情報センタ側の各種ＤＢを検索して、匿名化された情報を検索結果として返すことができる。検索の手法は以下の３つがある。
・グループ取得（ステップＳ２０３，Ｓ２３０）
利用者ＤＢ３に対してグループＩＤを検索条件に指定してユーザＩＤを取得し、そのユーザＩＤから独自ＩＤに前述と同じ方法で変換して、その独自ＩＤを検索条件に匿名ＤＢ４，匿名マスＤＢ５を検索して、グループＩＤに属する利用者の匿名化された情報を返す。
・目標値取得（ステップＳ２０４，Ｓ２３１）
目標とするマスデータを検索条件に指定し、匿名マスＤＢ５から類似の匿名マスデータを探し、匿名化された情報を返す。その際、情報センタ側では前述とは逆の方法で、独自ＩＤからユーザＩＤに変換し、そのユーザＩＤを検索条件として使い、その匿名化された情報の個人属性を利用者ＤＢ３から取得し、匿名化された情報とあわせて個人属性も返す。
・属性取得（ステップＳ２０５，Ｓ２３２）
個人属性（伸長、体重、喫煙、性別、初期センシングデータ）を検索条件に指定し、それに類似しているユーザＩＤを探し、そのユーザＩＤから独自ＩＤに前述と同じ方法で変換して、その独自ＩＤを検索条件に匿名ＤＢ４，匿名マスＤＢ５を検索して、匿名化された情報を返す。
【００５９】
例えばこれらの処理で、多数の利用者の匿名化された情報を外部に提供できる。例えば公的機関、研究機関等に情報を提供することで、国民一般の健康増進のための研究、統計、調査などに役立てることができる。
【００６０】
なお図７では、サーバ装置１０の処理として利用者管理部１と解析部２の処理をまとめて示したが、利用者管理部１と解析部２が別体の情報処置装置で構成される場合、利用者管理部１は少なくともステップＳ２０１、Ｓ２１０〜Ｓ２１４の処理が行われ、解析部２は少なくともステップＳ２０２、Ｓ２２０〜Ｓ２２９の処理が行われるように構成されればよい。
【００６１】
＜５．実施の形態の効果＞
以上の本実施の形態では、サーバ装置１０において利用者管理部１と解析部２を備える。利用者管理部１は、少なくとも、登録された利用者の個人情報をユーザＩＤに対応させて保存する利用者ＤＢ３を参照してクライアント端末６の認証を行う認証処理と、認証されたクライアント端末６からのチケットＴＫの取得要求に応じてチケットＴＫを生成し、クライアント端末６に送信するチケットデータ処理とを行う。また解析部２は、少なくとも、クライアント端末から利用者の生体情報のセンシングデータＳＤがチケットＴＫとともに送信されてきた際に、チケットデータＴＫの確認のうえでユーザＩＤに対応する独自ＩＤを生成する独自ＩＤ生成処理と、センシングデータＳＤを独自ＩＤに対応させて匿名ＤＢ４に保存するセンシングデータ保存処理と、センシングデータＳＤを解析して個人評価情報としてのマスデータ、運動アドバイス情報、ポイント情報を生成する解析処理と、マスデータ等を独自ＩＤに対応させて匿名マスＤＢ５に保存するマスデータ保存処理と、マスデータ等をクライアント端末６に送信する送信処理と、を行う。
クライアント端末６は、外部の利用者管理サーバ装置（利用者管理部１）に対してチケットデータ取得要求を行い、認証を条件として利用者管理部１から送信されるチケットＴＫを取得する処理と、利用者の生体情報としてセンシングされたセンシングデータＳＤを取得する処理と、センシングデータＳＤをチケットＴＫと共に解析サーバ装置（解析部２）に送信する処理と、解析部２がセンシングデータを解析して得た個人評価情報としてのマスデータを受信する処理と、を行う演算制御部を備える。
このようなサーバ装置１０、クライアント端末６により、以下の効果が得られる。
【００６２】
（１）マスデータをサーバ装置１０で生成し、クライアント装置６側に送信して利用者に対して提示できるようにするため、利用者側の機器負担を解消でき、各利用者は容易に本システムを利用できる。例えば利用者はシステムにログイン後、自宅等の生活空間に設置した簡易なセンサを用いて取得した生体のセンシングデータをサーバ装置１０に送信するというのみで手軽にシステム利用ができる。
（２）実施の形態のシステムは、高精度測定器の機能を、センシングデータのみを測定する単純なセンサ装置と、データ処理等の解析機能に分け、その簡易で低価格なセンサ部分の装置を自宅等の生活空間に設置することで、自宅等の生活空間での測定を可能にするシステムといえる。これにより利用者にかかる負荷を大幅に下げながら、同時にサーバ装置１０側で高度な解析を行い、その結果を利用者に提供できる。即ち利用者は、サーバ装置１０から的確な情報提供、分析結果、運動に対するアドバイスなどを受け取り、客観的、科学的表現と経済性についてのデータを得ることができる。例えば、運動実施した場合、しない場合での自分の将来の姿（血管年齢は３０才、足年齢は３５才、脳年齢は３３才、肌年齢２８才など）などを比較した情報を見ることができる。これにより、利用者に、永続性ある健康増進のために定期的に適切な運動行動をとるという行動変容が生ずることが期待でき、人々の健康増進に貢献できる。
（３）一般に生体の状態を把握するには高精度測定器が必要であり、家庭で簡易測定装置を利用して測定し、高精度測定器と同等な精度で推測するには、多くのデータを集め、それから相対関係を求める必要がある。こうしたデータ収集は同じ人に対して継続して行う必要であるため、相対関係を求めるのに必要な数のデータを収集するのは、通常は困難である。これに対して本実施の形態のシステムでは、サーバ装置１０で多数の利用者の大量のセンシングデータを継続的に収集することが容易となる。
またこのため、サーバ装置１０側での解析精度が向上され、利用者等に対して、より高精度なマスデータを提供できる。
【００６３】
（４）健康増進活動の実行に対して強いモチベーションを起こさせるには、個人の自己顕示欲や自己向上心等の飽きの来ない、かつ生活上の意味の重要な数字による指標を提示することが有効である。たとえば血圧測定データではあいまいであるが、より生体機能を直接表示する生活上の重要な数字として、血管年齢がある。たとえば適度な運動を重ねることによって、あるいは塩分の摂取を抑えることによって、血管年齢を若返らせることができ、過度な運動など極端なケースを適切な手段で防止すれば、強いモチベーションを与えることができる。本システムでは、この血管年齢のような情報がマスデータとして利用者に提示される。これによって利用者の健康増進活動の意欲を高めることができる。
利用者への提示は、利用者自身のマスデータそのものを表示するだけでなく、例えば年齢や性別毎のマスデータ分布に対する自分の位置を示す表示などを行うことで、利用者にとってわかりやすいものとなる。
【００６４】
（５）システムへの利用者登録時にその利用者の個人情報、基本属性を利用者ＤＢ３に登録する。生体のセンシングデータとマスデータは基本属性と切り離されて匿名ＤＢ４、匿名マスＤＢ５で管理される。利用者のログイン後は認証処理やチケットＴＫを伴うセンシングデータＳＤの送信を行い、サーバ装置１０（解析部２）ではチケットＴＫから得られる非公開の独自ＩＤを用いる。即ちログイン毎に新規に割り振られるチケットＴＫを用いてクライアント端末６側から基本属性、マスデータにアクセスする仕組みを持つため、基本属性が何らかの原因で漏洩しても、その基本属性から個人を特定することはできない。また匿名ＤＢ４、匿名マスＤＢ５では、利用者を直接特定できない状態で、各利用者のセンシングデータやマスデータが蓄積される。以上により個人情報を適切に保護できる。
（６）利用者管理部１は、チケットデータ処理において、所定処理でユーザＩＤを抽出可能なテンポラリなチケットＴＫを生成し、解析部２は、独自ＩＤ生成処理として、受信したチケットＴＫに対する所定処理でユーザＩＤを抽出し、抽出したユーザＩＤに基づいて独自ＩＤを生成する。これにより独自ＩＤが利用者ＤＢ３側のユーザＩＤに対応するものとできる。
【００６５】
（７）サーバ装置１０において解析部２は、受信したセンシングデータＳＤについて、同一の独自ＩＤに対応して保存されている過去のセンシングデータとの類似性を判定する類似性認証処理を行い、類似性認証結果をクライアント端末６に送信している。個人の健康状態を適切に把握するには、逐次センサで測定したデータについての個人毎の同一性（異なる時点で測定された一連の生態情報データが同一人のものであること）が重要である。ところがクライアント端末側から本来の登録ユーザ以外の利用者のセンシングデータが送信されてくる場合も想定される。そこで類似性認証処理により個人毎の同一性がチェックされるようにする。これにより情報精度や情報の的確性を向上させることができる。
またクライアント端末６から受け取ったセンシングデータＳＤに現存の相関関係の範囲から外れるようなイレギュラー（非類似）なセンシングデータがあった場合は、それを利用者に通知し、正しい操作、推奨される測定方法による再測定を促すこともできる。これによって生体情報測定の精度を高めることができるので、解析機能を情報センタ側におくことの意義がある。
（８）また類似性認証結果情報には、過去のセンシングデータに関する質問情報を含むようにするとともに、類似性認証結果情報を送信したクライアント端末からの前記質問情報を用いた認証処理結果を受信することに応じて、匿名データベースに保存した、類似性認証対象のセンシングデータについて認証結果に応じた情報を付加している。これにより、類似性認証結果情報が非類似の場合に本人確認を行う手法が提供される。即ちクライアント端末６側で質問情報による利用者の回答を確認して利用者の同一性を確認できる。これに応じて、保存したセンシングデータＳＤを非正規の情報としたり、ポイントをキャンセルするなどの適切な処置を行うことができる。また成りすましによるセンシングデータＳＤの送信／記憶を排除することもできる。
【００６６】
（９）運動アドバイス情報をクライアント端末側に提供することで、利用者に健康増進のための有益な情報提供が可能となる。例えばセンシングデータから運動のやりすぎを検出した場合には、利用者に対して運動に対するアドバイスを行い、注意を促すことなどができる。
また例えばポイント付与（利用者に対する経済的サービスポイント）を行うなどのインセンティブ情報をクライアント端末側に提供し、サーバ装置側でポイント管理することで、ユーザのサーバ装置利用による健康増進意欲を高めることができる。
なお解析部２は各個人ごとの過去のインセンティブ情報とモチベーションの対応データを解析し、より強いモチベーションにつながるインセンティブ情報を探索し、その個人に提供し、その効果を評価し、その探索を繰り返して、特定個人についてのポジティブな繰り返しループを発見するまで探索を続けるアルゴリズムを実行することも考えられる。
また、一般的な仮説、たとえば血管年齢や肌年齢などのモチベーションにつながるインセンティブデータを仮説として生成し、仮説の検証を自動で行うアルゴルズムを実行することも考えられる。
例えば、個人毎に、ポイント等のインセンティブ付与とその後のセンシングデータＳＤやマスデータが時系列で管理されていることで、インセンティブ付与後の個人毎のモチベーション向上度合いを推定できる。例えば個々のユーザ毎にとっては、ボーナスポイントとしての値や、インセンティブの種類（例えば現金ポイント、優待チケット、割引チケット、施設優先使用チケットなど）は、価値が異なる。ユーザに応じてモチベーション向上を促すインセンティブは異なる。そこで、利用者毎のインセンティブ効果を解析して、ユーザのモチベーションを向上させるポジティブサイクルをつくることが好適である。
【００６７】
（１０）サーバ装置１０の解析部２は解析処理として、センシングデータとマスデータの相関関係を示す相関関係データを用いて、受信したセンシングデータに対するマスデータを生成している。また受信したセンシングデータの蓄積に応じて相関関係データの再構築処理を行っている。これにより、より精度の高いマスデータを作り出すことができる。
なお適切なマスデータや運動アドバイス情報等を提供するには、同じ利用者に対し継続して測定を行うことが望ましいが、サーバ装置が逐次新たな相関関係を求めるのに必要な数のデータを収集するのは通常は困難である。本実施の形態では、同じ利用者から継続した測定情報が得られるため相関関係再構築で精度の高い相関関係データが得られる。
また利用者は高精度測定器を用いて定期的に測定し、そのセンシングデータをサーバ装置１０に提供することができる。サーバ装置１０では利用者から受け取ったセンシングデータ、及び高精度測定器を用いて測定した結果を用いて、新たな相関関係を求め、相対関係を更新する。相関関係が更新された時には、蓄積した過去のセンシングデータ全てに対し、更新された相関関係を使って、マスデータとの対応付けをし直し、マスデータとポイントを更新する。これにより常に最新の相関関係を用いて利用者にマスデータ及びポイントを提供することができる。
【００６８】
（１１）国民医療費が膨張する中で、健康を増進し医療費の低減に資しようとする疾病予防（ヘルスプロモーション）の試みはこれまでにもなされてきているが、それらは、歩数、心拍、活動量などの基本データを取得し、健診、運動、食事、生活指導などこれまでに確立されている知見に基づいて指導を行う、という「一方向性かつ画一的」なものであり、国民一般の健康増進活動の実行に結び付けることが困難である。本実施の形態のシステムは個人に即した情報提供や指導が可能である。
また一部の人々は過度の健康増進活動に走ることによって、却って健康を損ねてしまうというケースがあり、たとえば「歩数を職場ごとに競う」などは望ましくないとされている。これはこれまでの施策が「一方向性かつ画一的」であったことの弊害と考えられる。本実施の形態のシステムでは、個人に適した運動アドバイス情報を提供でき、上記弊害を解消できる。
【００６９】
＜６．プログラム＞
本発明の実施の形態のプログラムは、サーバ装置１０の解析部２やクライアント端末６の処理を演算処理装置（ＣＰＵ等）に実行させるプログラムである。
実施の形態のプログラムは、登録された利用者の個人情報をユーザＩＤに対応させて保存する利用者ＤＢ３を参照しての認証処理により認証されたクライアント端末６がチケットデータ取得要求を行って取得されたチケットＴＫと、利用者の生体情報のセンシングデータＳＤとが、クライアント端末６から送信されてきた際に、チケットＴＫの確認のうえでユーザＩＤに対応する独自ＩＤを生成する独自ＩＤ生成処理と、センシングデータＳＤを独自ＩＤに対応させて匿名ＤＢ４に保存するセンシングデータ保存処理と、センシングデータＳＤを解析して個人評価情報としてのマスデータ等を生成する解析処理と、マスデータ等を独自ＩＤに対応させて匿名マスＤＢ５に保存するマスデータ保存処理と、マスデータ等をクライアント端末６に送信する送信処理とを演算処理装置に実行させるプログラムである。即ちこのプログラムは、図５，図７で説明した処理を実行させるプログラムである。
【００７０】
また実施の形態のプログラムは、利用者管理部１に対してチケットデータ取得要求を行い、認証を条件として利用者管理部１から送信されるチケットＴＫを取得する処理と、利用者の生体情報としてセンシングされたセンシングデータＳＤを取得する処理と、センシングデータＳＤをチケットＴＫと共に解析部１に送信する処理と、解析部１がセンシングデータＳＤを解析して得た個人評価情報としてのマスデータを受信する処理とを演算処理装置に実行させる。
即ちこのプログラムは、図５，図６で説明した処理を実行させるプログラムである。
【００７１】
このようなプログラムにより、上述したシステムのサーバ装置１０（解析部２）やクライアント端末６としての情報処理装置を実現できる。
そしてこのようなプログラムはコンピュータ装置等の機器に内蔵されている記録媒体としてのＨＤＤや、ＣＰＵを有するマイクロコンピュータ内のＲＯＭ等に予め記録しておくことができる。あるいはまた、半導体メモリ、メモリカード、光ディスク、光磁気ディスク、磁気ディスクなどのリムーバブル記録媒体に、一時的あるいは永続的に格納（記録）しておくことができる。またこのようなリムーバブル記録媒体は、いわゆるパッケージソフトウェアとして提供することができる。
また、このようなプログラムは、リムーバブル記録媒体からパーソナルコンピュータ等にインストールする他、ダウンロードサイトから、ＬＡＮ、インターネットなどのネットワークを介してダウンロードすることもできる。
【符号の説明】
【００７２】
１…利用者管理部
２…解析部
３…利用者ＤＢ
４…匿名ＤＢ
５…匿名マスＤＢ
６…クライアント端末
【図１】
2015141593.tif 000003
【図２】
2015141593.tif 000004
【図３】
2015141593.tif 000005
【図４】
2015141593.tif 000006
【図５】
2015141593.tif 000007
【図６】
2015141593.tif 000008
【図７】
2015141593.tif 000009
【図８】
2015141593.tif 000010